(57)【特許請求の範囲】
【請求項１】
上面から下面へ貫通する光学窓を一部に有する保持基板と、
前記上面に搭載され、表面に電気泳動用の分離流路と該分離流路の両端にそれぞれ接続されたサンプルリザーバを有し、透明材料からなるマイクロチップと、
前記分離流路に電気泳動用の電圧を印加する一対の電極と、
前記光学窓を介して前記分離流路における前記電気泳動を測定する光学測定系
とを有する双方向電気泳動装置であって、
前記マイクロチップの方向を、前記一対の電極と共に、前記保持基板に対して、第１の方向及び該第１の方向と１８０度異なる第２の方向に設定することで、前記分離流路を往復方向に使用することを特徴とする双方向電気泳動装置。
【請求項２】
上面から下面へ貫通する光学窓を一部に有する保持基板と、
前記上面に搭載され、表面に電気泳動用の分離流路と該分離流路の両端にそれぞれ接続されたサンプルリザーバを有し、透明材料からなるマイクロチップと、
前記分離流路に電気泳動用の電圧を印加する一対の電極と、
前記光学窓を介して前記分離流路における前記電気泳動を測定する光学測定系
とを有する双方向電気泳動装置であって、
前記マイクロチップの方向を、前記保持基板に対して、第１の方向及び該第１の方向と１８０度異なる第２の方向に設定し、前記一対の電極の極性を反転することで、前記分離流路を往復方向に使用することを特徴とする双方向電気泳動装置。
【請求項３】
前記マイクロチップは、前記分離流路の中点を対称の中心として点対称の平面パターンをなすことを特徴とする請求項１又は２に記載の双方向電気泳動装置。
【請求項４】
前記マイクロチップは、角部を有する平面パターンをなすことを特徴とする請求項３に記載の双方向電気泳動装置。
【請求項５】
前記保持基板は、前記上面に前記角部を嵌合するチップ留め具を備え、該チップ留め具により、前記光学窓と前記分離流路とが位置合わせされることを特徴とする請求項４に記載の双方向電気泳動装置。
【請求項６】
前記保持基板は、前記上面に第１及び第２のチップ留め具を備え、前記マイクロチップは、平面パターン上、前記マイクロチップの周辺部に位置決め端部を定義し、
該位置決め端部を前記第１のチップ留め具に嵌合することにより、第１の方向に電気泳動させる前記分離流路と前記光学窓とが位置合わせされ、該位置決め端部を前記第２のチップ留め具により位置決めすることにより、前記第１の方向の１８０度異なる第２の方向に電気泳動させる前記分離流路と前記光学窓とが位置合わせされることを特徴とする請求項１又は２に記載の双方向電気泳動装置。
【請求項７】
上面から下面へ貫通する一対の光学窓を一部に有する保持基板と、
前記上面に搭載され、表面に前記一対の光学窓に位置合わせされる電気泳動用の分離流路と該分離流路の両端にそれぞれ接続されたサンプルリザーバを有し、透明材料からなるマイクロチップと、
前記分離流路に電気泳動用の電圧を印加する一対の電極と、
前記一対の光学窓のいずれかを介して前記分離流路における前記電気泳動を測定する光学測定系
とを有する双方向電気泳動装置であって、
前記一対の光学窓のいずれかの選択、及び対応する一対の電極の差し替え若しくは極性の選択により、前記分離流路の電気泳動の方向を選択可能にしたことを特徴とする双方向電気泳動装置。
【請求項８】
上面から下面へ貫通する光学窓を一部に有する保持基板と、前記上面に搭載され、表面に電気泳動用の分離流路と該分離流路の両端にそれぞれ接続されたサンプルリザーバを有し、透明材料からなるマイクロチップと、前記分離流路に電気泳動用の電圧を印加する一対の電極と、前記光学窓を介して前記分離流路における前記電気泳動を測定する光学測定系とを有する双方向電気泳動装置を用いた双方向電気泳動方法であって、
第１の方向に沿った電気泳動による分離特性が低下した場合、前記マイクロチップを前記保持基板に対し前記第１の方向と１８０度異なる第２の方向に反転させ、前記分離流路を往復方向に使用することを特徴とする双方向電気泳動方法。
【請求項９】
上面から下面へ貫通する一対の光学窓を一部に有する保持基板と、前記上面に搭載され、表面に前記一対の光学窓に位置合わせされる電気泳動用の分離流路と該分離流路の両端にそれぞれ接続されたサンプルリザーバを有し、透明材料からなるマイクロチップと、前記分離流路に電気泳動用の電圧を印加する一対の電極と、前記一対の光学窓のいずれかを介して前記分離流路における前記電気泳動を測定する光学測定系とを有する双方向電気泳動装置を用いた双方向電気泳動方法であって、
第１の方向に沿った電気泳動による分離特性が低下した場合、前記一対の光学窓のいずれかの選択を一方から他方に切り換え、対応して前記一対の電極の差し替え若しくは極性の切り換えをすることにより、前記第１の方向と１８０度異なる第２の方向に電気泳動の方向を反転させ、前記分離流路を往復方向に使用することを特徴とする双方向電気泳動方法。
【発明の詳細な説明】
【技術分野】
【０００１】
本発明はマイクロチップを用い、第１の方向及びこの第１の方向と１８０度異なる第２の方向に電気泳動を行うことが可能な双方向電気泳動装置、この双方向電気泳動装置に用いるに好適なマイクロチップ、及びこの双方向電気泳動装置を用いた双方向電気泳動方法に関する。
【背景技術】
【０００２】
内径０．０５〜０．２ｍｍ程度のキャピラリー管（毛管）を用いて、１０ｋＶ〜３０ｋＶ程度の高電圧をかけて電気泳動を行うキャピラリー電気泳動法（細管電気泳動法）では、キャピラリーの外壁に保護のためのポリイミド膜等の保護膜のコーティングが施されている。石英ガラスや溶融石英のキャピラリーを物理的・化学的に安定させるためである（特許文献１参照。）。但し、電気泳動測定等を行う際に、検出手段に紫外線吸収法等の光学的手段を用いるので、光学的検出部において、信号の検出効率の低下を招くため、外壁のコーティングを薄くするか除去して光学的検出を実施し、他の箇所と比べ強度が低下している。この強度低下を補うため、光学的検出部にはキャピラリーの強度を補完する機構を備える等の工夫がなされている。光学的検出部のこの強度補完機構を一方向のみ有するキャピラリーにおいては、キャピラリー流路のインジェクション端側に不良が生じると、そのキャピラリーを使用できなくなる問題がある。
【０００３】
更に、キャピラリー電気泳動法ではキャピラリーの光学的検出部がサンプルインジェクションの反対側にあるため、分離流路に対して一方向の泳動しか行うことができないという問題がある。キャピラリーが構成する分離流路に対して一方向の電気泳動しか行うことができないキャピラリー電気泳動法においては、タンパクなどのキャピラリー内壁への吸着、及び物理的破損などのインジェクション側のトラブルにより分離性能が低下し、キャピラリーの繰り返し使用が困難となり、キャピラリーを廃棄する必要があるので、結果として、キャピラリー電気泳動法による分析コストが増大する問題もある。
【０００４】
キャピラリー電気泳動法において、光学的検出部をキャピラリー中心におくと、双方向の電気泳動を行うことができるが、この場合は、著しく有効分離長が短くなるという問題があるので現実的ではない。
【特許文献１】特開平７−１５１７２９公報
【発明の開示】
【発明が解決しようとする課題】
【０００５】
本発明は分離流路の両端側から、第１の方向及び第１の方向と１８０度異なる第２の方向に電気泳動を行うことができ、第１の方向での使用において、タンパクなどが分離流路の内壁へ吸着する問題や物理的破損などのインジェクション側のトラブルが生じた場合、第２の方向から使用することで、再利用回数が向上でき、分析コストの低減を図ることが可能で、更に、製造時に分離流路の片側のみのトラブルが生じた場合でも、反対側から使用でき、製造歩留まりの高い双方向電気泳動装置、この双方向電気泳動装置に用いるに好適なマイクロチップ、及びこの双方向電気泳動装置を用いた双方向電気泳動方法を提供することを目的とする。
【課題を解決するための手段】
【０００６】
上記目的を達成するために、本発明の第１の態様は、（イ）上面から下面へ貫通する光学窓を一部に有する保持基板と、（ロ）この上面に搭載され、表面に光学窓に位置合わせされる電気泳動用の分離流路とこの分離流路の両端にそれぞれ接続されたサンプルリザーバを有し、透明材料からなるマイクロチップと、（ハ）分離流路に電気泳動用の電圧を印加する一対の電極と、（ニ）光学窓を介して分離流路における電気泳動を測定する光学測定系とを有する双方向電気泳動装置であることを要旨とする。そして、本発明の第１の態様に係る双方向電気泳動装置は、マイクロチップの方向を一対の電極と共に、保持基板に対して、第１の方向及び第１の方向と１８０度異なる第２の方向に設定することで、分離流路を往復方向に使用することを特徴とする。
【０００７】
本発明の第２の態様は、（イ）上面から下面へ貫通する光学窓を一部に有する保持基板と、（ロ）この上面に搭載され、表面に光学窓に位置合わせされる電気泳動用の分離流路とこの分離流路の両端にそれぞれ接続されたサンプルリザーバを有し、透明材料からなるマイクロチップと、（ハ）分離流路に電気泳動用の電圧を印加する一対の電極と、（ニ）光学窓を介して分離流路における電気泳動を測定する光学測定系とを有する双方向電気泳動装置であることを要旨とする。そして、本発明の第２の態様に係る双方向電気泳動装置は、マイクロチップの方向を保持基板に対して、第１の方向及び第１の方向と１８０度異なる第２の方向に設定し、一対の電極の極性を反転することで、分離流路を往復方向に使用することを特徴とする。
【０００８】
本発明の第３の態様は、（イ）上面から下面へ貫通する一対の光学窓を一部に有する保持基板と、（ロ）この上面に搭載され、表面に一対の光学窓に位置合わせされる電気泳動用の分離流路とこの分離流路の両端にそれぞれ接続されたサンプルリザーバを有し、透明材料からなるマイクロチップと、（ハ）分離流路に電気泳動用の電圧を印加する一対の電極と、（ニ）一対の光学窓のいずれかを介して分離流路における電気泳動を測定する光学測定系とを有する双方向電気泳動装置であることを要旨とする。そして、本発明の第３の態様に係る双方向電気泳動装置は、一対の光学窓のいずれかの選択、及び対応する一対の電極の差し替え若しくは極性の選択により、分離流路の電気泳動の方向を選択可能にしたことを特徴とする。
【０００９】
本発明の第４の態様は、上面から下面へ貫通する光学窓を一部に有する保持基板と、この上面に搭載され、表面に光学窓に位置合わせされる電気泳動用の分離流路を有し、透明材料からなるマイクロチップと、分離流路に電気泳動用の電圧を印加する一対の電極と、光学窓を介して分離流路における電気泳動を測定する光学測定系とを有する双方向電気泳動装置に用いるマイクロチップであることを要旨とする。そして、本発明の第４の態様に係るマイクロチップは、マイクロチップは、マイクロチップの方向を保持基板に対して反転可能であり、分離流路を第１の方向及び第１の方向と１８０度異なる第２の方向に向けて電気泳動可能なように、分離流路の両端にそれぞれサンプルリザーバを有し、分離流路の中点を対称の中心として点対称の平面パターンをなすことを特徴とする。
【００１０】
本発明の第５の態様は、上面から下面へ貫通する光学窓を一部に有する保持基板と、この上面に搭載され、表面に光学窓に位置合わせされる電気泳動用の分離流路とこの分離流路の両端にそれぞれ接続されたサンプルリザーバを有し、透明材料からなるマイクロチップと、分離流路に電気泳動用の電圧を印加する一対の電極と、光学窓を介して分離流路における電気泳動を測定する光学測定系とを有する双方向電気泳動装置を用いた双方向電気泳動方法であることを要旨とする。そして、本発明の第５の態様に係る双方向電気泳動方法は、第１の方向に沿った電気泳動による分離特性が低下した場合、マイクロチップを第１の方向と１８０度異なる第２の方向に反転させ、分離流路を往復方向に使用することを特徴とする。
【００１１】
本発明の第６の態様は、上面から下面へ貫通する一対の光学窓を一部に有する保持基板と、この上面に搭載され、表面に一対の光学窓に位置合わせされる電気泳動用の分離流路とこの分離流路の両端にそれぞれ接続されたサンプルリザーバを有し、透明材料からなるマイクロチップと、分離流路に電気泳動用の電圧を印加する一対の電極と、一対の光学窓のいずれかを介して分離流路における電気泳動を測定する光学測定系とを有する双方向電気泳動装置を用いた双方向電気泳動方法であることを要旨とする。そして、本発明の第６の態様に係る双方向電気泳動方法は、第１の方向に沿った電気泳動による分離特性が低下した場合、一対の光学窓のいずれかの選択を一方から他方に切り換え、対応して一対の電極の差し替え若しくは極性の切り換えをすることにより、第１の方向と１８０度異なる第２の方向に電気泳動の方向を反転させ分離流路を往復方向に使用することを特徴とする。
【発明の効果】
【００１２】
本発明によれば、分離流路の両端側から、第１の方向及び第１の方向と１８０度異なる第２の方向に電気泳動を行うことができ、第１の方向での使用において、タンパクなどが分離流路の内壁へ吸着する問題や物理的破損などのインジェクション側のトラブルが生じた場合、第２の方向から使用することで、再利用回数が向上でき、分析コストの低減を図ることが可能で、更に、製造時に分離流路の片側のみのトラブルが生じた場合でも、反対側から使用でき、製造歩留まりの高い双方向電気泳動装置、この双方向電気泳動装置に用いるに好適なマイクロチップ、及びこの双方向電気泳動装置を用いた双方向電気泳動方法が提供できる。
【発明を実施するための最良の形態】
【００１３】
次に、図面を参照して、本発明の第１〜第３の実施の形態を説明する。以下の図面の記載において、同一又は類似の部分には同一又は類似の符号を付している。但し、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることは勿論である。
【００１４】
又、以下に示す第１〜第３の実施の形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された技術的範囲内において、種々の変更を加えることができる。
【００１５】
（第１の実施の形態）
本発明の第１の実施の形態に係る双方向電気泳動装置は、図１に示すように平板状の保持基板２１と、この保持基板２１上に着脱可能に搭載され、表面に分離流路１６を有し、ソーダ石灰ガラスや石英ガラス等の透明材料からなるマイクロチップ（１５，１７）と、マイクロチップ（１５，１７）の上を保護する樹脂製の上蓋１４と、分離流路１６に電気泳動に必要な高電圧を印加する電極１１ａ、１１ｂとを備えている。マイクロチップ（１５，１７）は、厚さ１．５〜２ｍｍ程度の平板からなるベースプレート１７と、ベースプレート１７の上に配置され、その底部にＵ字型若しくはコの字型形状の溝部を有するキャピラリープレート１５とを備える。ベースプレート１７の底部に設けるＵ字型若しくはコの字型形状の溝部は、半導体製造技術を発展させた微少電気機械システム（ＭＥＭＳ）技術により形成すれば良い。キャピラリープレート１５及びベースプレート１７は、それぞれ、ソーダ石灰ガラスや石英ガラス等の透明材料からなり、互いに接合されて一体構造のマイクロチップ（１５，１７）を構成している。この結果、マイクロチップ（１５，１７）の表面近傍の上部に、例えば、幅５０〜１５０μｍ程度、深さ２０〜５０μｍ程度の微少な溝がマイクロチャネルとして埋め込まれ、分離流路１６が形成される。尚、ベースプレート１７の表面にＵ字型若しくはコの字型形状の溝部を設けて、このベースプレート１７の上に平坦なキャピラリープレート１５をカバープレートとしてとして接合して、マイクロチップ（１５，１７）の表面近傍の上部に、分離流路１６を埋め込むようにしても良く、ベースプレート１７の表面にＵ字型若しくはコの字型形状の溝部を設けて、このベースプレート１７の上に下面に溝部を有するキャピラリープレート１５を溝と溝とが位置合わせされるようにして接合して、マイクロチップ（１５，１７）の表面近傍の上部に、分離流路１６を埋め込むようにしても良い。
【００１６】
保持基板２１は、透明材料からなるマイクロチップ（１５，１７）の底部から、分離流路１６を電気泳動する被測定物質（化学種）に紫外線等の光を照射し、被測定物質（化学種）による吸収若しくは蛍光を測定するために、保持基板２１の上面から下面へ垂直方向に貫通する光学窓２２を有する。保持基板２１の上面にはマイクロチップ（１５，１７）を保持基板２１上の所定の位置に位置決めするためのチップ留め具２３が設けられている。チップ留め具２３により、マイクロチップ（１５，１７）は保持基板２１の上部に光学窓２２との相対的位置を確定するように設置される。分離流路１６の両端に被測定物質（化学種）及び緩衝液６１を収納するサンプルリザーバ１３ａ、１３ｂを有する。２つのサンプルリザーバ１３ａ、１３ｂは分離流路１６の中点をマイクロチップ（１５，１７）の対称の中心に一致させ、対称配置され、点対称のトポロジーである。図１では、光学窓２２が分離流路１６の下方、陽極側に位置する場合を例示している。保持基板２１は、図示を省略したヒータを内蔵し、分離流路１６を電気泳動する被測定物質（化学種）及び緩衝液６１の温度を制御するように、ヒータは温度コントロール部３２と接続され、温度コントロール部３２によりヒータの出力が制御される。
【００１７】
上蓋１４のサンプルリザーバ１３ａ、１３ｂに対応する位置の上部にはバッファ用リザーバ１２ａ、１２ｂを備える。バッファ用リザーバ１２ａ、１２ｂはガラス板１５に対して垂直に立設され、円形のバッファ用リザーバ１２ａ、１２ｂの中心に、円形のサンプルリザーバ１３ａ、１３ｂの中心が配置されるように位置決めされている。
【００１８】
電極１１ａ、１１ｂはバッファ用リザーバ１２ａ、１２ｂ側に挿入されている。電極１１ａ、１１ｂには分離流路１６に電気泳動に必要な高電圧を印加する電圧コントロール部３１が接続されている。
【００１９】
光学測定系５は光源５１、バンドパスフィルタ５２、５４、ダイクロイックミラー５３及び検出器５５を有する。光源５１は、光学窓２２の下方に配置され、上方のマイクロチップ（１５，１７）の底部に向け光を発射し、マイクロチップ（１５，１７）の底部を透過して、分離流路１６を電気泳動する被測定物質（化学種）に光が照射される。バンドパスフィルタ５２は光源５１の上方に、光の進行方向に対し垂直に配置されている。バンドパスフィルタ５２の上方には被測定物質（化学種）からの蛍光がバンドパスフィルタ５４に向かって入射するようにダイクロイックミラー５３が配置されている。バンドパスフィルタ５４を通過した光は光電子増倍菅や半導体検出器等の検出器５５へと入射する。検出器５５としてＣＣＤカメラを用いても良い。光源５１及び検出器５５はデータ処理部３３に接続されている。
【００２０】
分離流路１６とガラス板１５からなるマイクロチャネルに被測定物質（化学種）及び緩衝液６１を注入し、電圧コントロール部３１によって電極１１ａに負、電極１１ｂに正の電圧をかけると、緩衝液６１中の被測定物質（化学種）が電気泳動をして、その分子量に依存して被測定物質（化学種）が分離する。分離した被測定物質（化学種）は光学窓２２から光学測定系５を用いて検出される。
【００２１】
図２に示すように保持基板２１はその上面がマイクロチップ（１５，１７）を着脱可能に搭載するに十分な面積を有した矩形平板であり、光学窓２２は分離流路１６に正確に位置決めされる必要があり、分離流路１６の長手方向において、中央より陽極側、即ち保持基板２１の短辺方向に位置する。光学窓２２は図２に示すようにその平面形状は、矩形に限定されるものではなく、６角形や８角形等の多角形や円形でも構わない。チップ留め具２３は図２に示すようにその上面方向から見た形状がＬ型（鈎型）をなし、保持基板２１に対し水平方向にマイクロチップ（１５，１７）を１８０度回転させても双方向電気泳動装置を使用できるようにマイクロチップ（１５，１７）の一つの角の位置を定めることが可能なようになっている。但し、図２は例示であり、保持基板２１に対し水平方向にマイクロチップ（１５，１７）を１８０度回転させても双方向電気泳動装置を使用できるようにマイクロチップ（１５，１７）の一つの角の位置を定めることが可能ならば、どのような形状でも構わない。
【００２２】
このため、マイクロチップ（１５，１７）は、図３に示すように、分離流路１６の中点を回転軸（対称の中心）とした２回回転対称（点対称）の矩形平板形状をなしている。つまり、分離流路１６の長さ方向に２分する中点がマイクロチップ（１５，１７）の２回回転対称の回転軸に位置するように、分離流路１６はマイクロチップ（１５，１７）の長手方向に沿った中心線上に位置している。図３では、マイクロチップ（１５，１７）の表面に１本の分離流路１６が設けられた例を示しているが、これは説明を簡単にするためであり、実際には２本以上の複数の分離流路１６をＭＥＭＳ技術により形成可能であり、例えば３０本から４００本程度の本数等にしても構わない。分離流路１６の両端に位置するサンプルリザーバ１３ａ、１３ｂも、分離流路１６の中点を回転軸とした２回回転対称をなすトポロジーで対称性を維持している。複数の分離流路１６をマイクロチップ（１５，１７）の表面に形成したときは、それぞれの分離流路１６の両端にサンプルリザーバ１３ａ、１３ｂが設けられる。サンプルリザーバ１３ａ、１３ｂは上方から見ていずれも同一寸法の円形になっており、マイクロチップ（１５，１７）の直近の短辺からの距離が等しい。但し、サンプルリザーバ１３ａ、１３ｂの形状については、サンプルリザーバとして機能する限りは、必ずしも同寸、同形状であり、分離流路１６の中点に関し２回回転対称である必要はない。ガラス板１５は矩形平板であり、マイクロチップ（１５，１７）と長辺、短辺の長さが等しく、同様に２回回転対称である。上蓋１４は矩形平板であり、同様に２回回転対称である。バッファ用リザーバ１２ａ、１２ｂの内径はサンプルリザーバ１３ａ、１３ｂの内径より大きい。
【００２３】
マイクロチップ（１５，１７）が２回回転対称のトポロジーを有する結果、図４に示すように、マイクロチップ（１５，１７）は２つのサンプルリザーバ１３ａ、１３ｂの位置が逆転するように配置しても使用可能である。上蓋１４は２つのバッファ用リザーバ１２ａ、１２ｂの位置が逆転するように配置しているが、マイクロチップ（１５，１７）の方向の反転と同時に、一対の電極１１ａ，１１ｂも位置を反転すれば良い。即ち、マイクロチップ（１５，１７）を保持基板２１に対して正方向（第１の方向）及び逆方向（第２の方向）に設定することで、分離流路１６を往復方向で電気泳動に用いることができる。或いは、マイクロチップ（１５，１７）の方向を保持基板２１に対して逆方向（第２の方向）に設定した際、一対の電極１１ａ，１１ｂの空間的な位置を装置側のプラットフォームに固定して、サンプルリザーバ１３ａ、１３ｂに対して相対的に差し替えると共に、一対の電極１１ａ，１１ｂの極性を反転することで、分離流路１６を逆方向（第２の方向）に電気泳動させることができる。
【００２４】
図５は、本発明の第１の実施の形態に係る双方向電気泳動装置を用いたＤＮＡシーケンスにおける分離度の測定結果の履歴を示した図である。白抜きの菱形（◇）は、第１の方向（正方向）での電気泳動を複数回繰り返し分離度の低下が著しくなった際の分離度を示す。図５に示すように、７５〜１５０塩基対数(bases)で分離度が低下しているのが分かる。この場合、その後、黒塗りの丸（●）で示すように、分離流路方向に対してマイクロチップ（１５，１７）を逆方向（第２の方向）にして、分離流路に対する泳動方向を逆方向（第２の方向）に使用することにより、７５〜１５０塩基対数(bases)で分離度が改善することが分かる。図５に示すように、マイクロチップ（１５，１７）を１８０度回転させて、分離流路に対する泳動方向を逆方向（第２の方向）にして電気泳動を行うことにより、一度低下した分離度が回復するので、マイクロチップ（１５，１７）の利用回数を向上させることができ、結果として、分析コストを低減できることが分かる。
【００２５】
背景技術の欄で既に説明したとおり、キャピラリー電気泳動法では、キャピラリーに検出窓を構成するためにキャピラリーの保護コーティングを光学的検出部で除去しているため、光学的検出部に保護機構を設ける必要があり、容易に２方向で使用できる構造とすることは困難である。本発明の第１の実施の形態に係る双方向電気泳動装置においては、ＭＥＭＳ技術によりマイクロチップ（１５，１７）の表面にミクロンオーダーの微少な溝（マイクロチャネル）を形成して、分離流路１６を構成しているので機械的強度を十分に強くでき、キャピラリー電気泳動法のように、強度を得るためのキャピラリーの外壁へのコーティングは不要である。
【００２６】
本発明の第１の実施の形態に係る双方向電気泳動装置においては、サンプルリザーバ１３ａ、１３ｂは分離流路１６の中点をマイクロチップ（１５，１７）の対称の中心に一致させ、対称配置されているので、点対称のトポロジーであり、分離流路１６を正、逆の両方向で使用できる。又、第１の実施の形態に係る双方向電気泳動装置においては、保持基板２１の上面にチップ留め具２３が設けられているので、マイクロチップ（１５，１７）を保持基板２１にセットする際、光学測定系５、電極１１ａ、１１ｂは及びバッファ用リザーバ１２ａ、１２ｂ等の分注機構などに対応するための位置合わせが正確、簡単且つ短時間で実施できる。
【００２７】
分離流路に対して両方向から泳動分離を行える構造を持つマイクロチップ（１５，１７）を双方向電気泳動装置に用いる場合、一度セットしたマイクロチップ（１５，１７）に対して、双方向電気泳動装置の検出系、電極機構、又はマイクロチップ（１５，１７）の保持機構を可動にし、マイクロチップ（１５，１７）を再設置せず両方向から泳動が行える機構を設ける。
【００２８】
したがって、本発明の第１の実施の形態に係る双方向電気泳動装置によれば、分離のための分離流路１６の内壁コーティングの劣化、タンパクなどの分離流路１６の内壁への吸着、及び物理的破損などのインジェクション側のトラブルにより性能が劣化しても、方向を反転して逆方向（第２の方向）から分離流路１６を使用することで、再利用回数が向上し、分析コストの低減を図ることが可能となる。本発明の第１の実施の形態に係る双方向電気泳動装置によれば、製造時に分離流路１６片側のみのトラブルが生じた場合、分離流路１６の逆側から使用できるため製造歩留まりを向上させることができる。
【００２９】
（第１の実施の形態の変形例）
図１に示す構成は例示であり、例えば、光学測定系５は、図１に示すように光源５１が、光学窓２２の下方に配置され、被測定物質（化学種）から光学窓２２の下方に向かって出射する蛍光が、光学窓２２の下方に配置されたダイクロイックミラー５３で反射されて検出器５５で検出される光学系に限定されるものではない。即ち、図６に示すように、マイクロチップ（１５，１７）の上方にマイクロチップ（１５，１７）の分離流路１６に光を照射する照射光学系５ａと、マイクロチップ（１５，１７）の下方にマイクロチップ（１５，１７）の分離流路１６からの蛍光若しくは透過光を測定する検出光学系５ｂを備えるようにして、マイクロチップ（１５，１７）の両側から挟み込むように光学測定系を２分割しても良い。
【００３０】
図６に示す本発明の第１の実施の形態の変形例に係る双方向電気泳動装置においては、照射光学系５ａは、マイクロチップ（１５，１７）の上方に配置され、マイクロチップ（１５，１７）の分離流路１６に向かって下方に光を照射する光源５１と、光源５１の下方において、光源５１から出射した光がマイクロチップ（１５，１７）の分離流路１６に向かって進む光路中に設けられた、バンドパスフィルタ５２を有する。光源５１から出射した光がマイクロチップ（１５，１７）の分離流路１６に照射可能なように、上蓋１４のマイクロチップ（１５，１７）の分離流路１６の上方に位置する箇所には、入射用光学窓２８ａが設けられている。尚、上蓋１４には、２つの入射用光学窓２８ａ，２８ｂが分離流路１６の中点をマイクロチップ（１５，１７）の対称の中心に一致させ、点対称のトポロジーとなるように、対称配置されている。入射用光学窓２８ａ，２８ｂは上蓋１４に設けられた単なる開口で構わない。光源５１を出射した光は、入射用光学窓２８ａを透過し、入射用光学窓２８ａの下方に配置されたマイクロチップ（１５，１７）のキャピラリープレート１５を透過して、分離流路１６を電気泳動する被測定物質（化学種）に光が照射される。
【００３１】
検出光学系５ｂは、保持基板２１のマイクロチップ（１５，１７）の分離流路１６の下方の位置に設けられた光学窓２２の下方に配置されたダイクロイックミラー５３と、ダイクロイックミラー５３で反射した光が透過するバンドパスフィルタ５４と、バンドパスフィルタ５４を介して、マイクロチップ（１５，１７）の分離流路１６から出射した蛍光若しくは透過光を検出する検出器５５を有する。検出器５５は、図１において説明したように、光電子増倍菅や半導体検出器等が採用可能である。検出光学系５ｂのダイクロイックミラー５３を省略して、マイクロチップ（１５，１７）の分離流路１６から出射した蛍光若しくは透過光を、直接バンドパスフィルタ５４を介して検出器５５に入射されるような光学配置でも構わない。検出器５５がマイクロチップ（１５，１７）の分離流路１６から出射した透過光を検出する場合は、吸光測定をすることになる。照射光学系５ａの光源５１及び検出光学系５ｂの検出器５５はデータ処理部３３に接続され、データ処理部３３は蛍光測定若しくは吸光測定に必要なデータ処理をする。
【００３２】
尚、図６とは逆に、マイクロチップ（１５，１７）の下方にマイクロチップ（１５，１７）の分離流路１６に光を照射する照射光学系５ａを設け、マイクロチップ（１５，１７）の上方にマイクロチップ（１５，１７）の分離流路１６からの蛍光若しくは透過光を測定する検出光学系５ｂを設けるようにしても良い。
【００３３】
第１の実施の形態の変形例に係る双方向電気泳動装置のマイクロチップ（１５，１７）は、図３に示したのと同様に、分離流路１６の中点を回転軸（対称の中心）とした２回回転対称（点対称）の矩形平板形状をなしている。上述した２つの入射用光学窓２８ａ，２８ｂに加え、分離流路１６の両端に位置するサンプルリザーバ１３ａ，１３ｂも、分離流路１６の中点を回転軸とした２回回転対称をなすトポロジーで対称性を維持している。マイクロチップ（１５，１７）が２回回転対称のトポロジーを有する結果、マイクロチップ（１５，１７）は２つのサンプルリザーバ１３ａ，１３ｂ及び２つの入射用光学窓２８ａ，２８ｂの位置がそれぞれ逆転するように配置しても使用可能である。マイクロチップ（１５，１７）を保持基板２１に対して正方向（第１の方向）及び逆方向（第２の方向）に設定することで、分離流路１６を往復方向で電気泳動に用いることができる。或いは、マイクロチップ（１５，１７）の方向を保持基板２１に対して逆方向（第２の方向）に設定した際、一対の電極１１ａ，１１ｂの空間的な位置を装置側のプラットフォームに固定して、サンプルリザーバ１３ａ，１３ｂに対して相対的に差し替えると共に、一対の電極１１ａ，１１ｂの極性を反転することで、分離流路１６を逆方向（第２の方向）に電気泳動させることができる。
【００３４】
（第２の実施の形態）
本発明の第２の実施の形態に係る双方向電気泳動装置は、図１〜図４に示した第１の実施の形態と同様に保持基板２１、マイクロチップ（１５，１７）、上蓋１４、ガラス板１５、及び電極１１ａ、１１ｂを備えているが、図７及び図８に示すように、分離流路１６の対称の中心がマイクロチップ（１５，１７）の対称の中心の位置からずれている。つまり、マイクロチップ（１５，１７）が分離流路１６の中点を回転軸とした２回回転対称（点対称）のトポロジーを有していない。
【００３５】
このため、第２の実施の形態に係る保持基板２１は、正方向（第１の方向）の場合は、図７に示すように、マイクロチップ（１５，１７）の位置決め端部を第１のチップ留め具２３ａに嵌合させて、マイクロチップ（１５，１７）の分離流路１６の中心線が光学窓２２の中心を通るように位置を合わせをし、１８０度回転した逆方向（第２の方向）の場合は、図８に示すように、マイクロチップ（１５，１７）の位置決め端部を第２のチップ留め具２３ｂに嵌合させて、マイクロチップ（１５，１７）の分離流路１６の中心線が光学窓２２の中心を通るように位置を合わせをする。図７及び図８では、「マイクロチップ（１５，１７）の位置決め端部」として矩形（長方形）の１角が用いられている例を示しているが、「位置決め端部」は角部に限定されるものではなく、円形や弧状の凸部で合っても良い。
【００３６】
第１及び第２のチップ留め具２３ａ、２３ｂは、マイクロチップ（１５，１７）の保持基板２１に接する面のうち、ほぼ対角となる一対の位置に配置される。第２の実施の形態に係る双方向電気泳動装置の構造の他の部分の説明は、第１の実施の形態の構造の説明と同様であるので、重複する説明を省略する。又、泳動分離、解析の動作説明は第１の実施の形態に係る双方向電気泳動装置の動作説明と同一であるので、重複した説明を省略する。
【００３７】
本発明の第２の実施の形態に係る双方向電気泳動装置においては、第１の実施の形態に係る双方向電気泳動装置と同様に、ＭＥＭＳ技術によりマイクロチップ（１５，１７）の表面にミクロンオーダーのマイクロチャネルを形成して、分離流路１６を構成しているので機械的強度を十分に強くでき、キャピラリー電気泳動法のように、強度を得るためのキャピラリーの外壁へのコーティングは不要である。
【００３８】
本発明の第２の実施の形態に係る双方向電気泳動装置は、第１の実施の形態に係る双方向電気泳動装置とは異なり、マイクロチップ（１５，１７）が点対称のトポロジーではないが、保持基板２１の上面に２つのチップ留め具２３ａ、２３ｂが設けられているので、非対称のマイクロチップ（１５，１７）を保持基板２１にセットする際、光学測定系５、電極１１ａ、１１ｂは及びバッファ用リザーバ１２ａ、１２ｂ等の分注機構などに対応するための位置合わせを正確、簡単且つ短時間で実施できる。
【００３９】
したがって、本発明の第２の実施の形態に係る双方向電気泳動装置によれば、第１の実施の形態に係る双方向電気泳動装置と同様に、分離のための分離流路１６の内壁コーティングの劣化、タンパクなどの分離流路１６の内壁への吸着、及び物理的破損などのインジェクション側のトラブルにより性能が劣化しても、方向を反転させて逆方向（第２の方向）から分離流路１６を使用することで、再利用回数が向上し、分析コストの低減を図ることが可能となる。本発明の第２の実施の形態に係る双方向電気泳動装置によれば、製造時に分離流路１６片側のみのトラブルが生じた場合、分離流路１６の逆側から使用できるため製造歩留まりを向上させることができる。
【００４０】
（第２の実施の形態の変形例）
図示を省略しているが、図６に示したのと同様に、マイクロチップの上方にマイクロチップの分離流路に光を照射する照射光学系と、マイクロチップの下方にマイクロチップの分離流路からの蛍光若しくは透過光を測定する検出光学系を備えるようにして、マイクロチップの両側から挟み込むように光学測定系を２分割しても良い。或いは、逆に、マイクロチップの下方にマイクロチップの分離流路に光を照射する照射光学系を設け、マイクロチップの上方にマイクロチップの分離流路からの蛍光若しくは透過光を測定する検出光学系を設けるようにしても良い。
【００４１】
本発明の第２の実施の形態の変形例に係る双方向電気泳動装置は、図７及び図８に示したのと同様に、分離流路の対称の中心がマイクロチップの対称の中心の位置からずれている。つまり、マイクロチップが分離流路の中点を回転軸とした２回回転対称（点対称）のトポロジーを有していない。但し、上蓋には、２つの入射用光学窓が分離流路の中点に関して、点対称のトポロジーとなるように、対称配置されている。
【００４２】
このため、第２の実施の形態に係る保持基板は、正方向（第１の方向）の場合は、図７に示したのと同様にマイクロチップの位置決め端部を第１のチップ留め具に嵌合させて、マイクロチップの分離流路の中心線が光学窓の中心を通るように位置を合わせをし、１８０度回転した逆方向（第２の方向）の場合は、図８に示したのと同様にマイクロチップの位置決め端部を第２のチップ留め具に嵌合させて、マイクロチップの分離流路の中心線が光学窓の中心を通るように位置を合わせをする。
【００４３】
本発明の第２の実施の形態の変形例に係る双方向電気泳動装置は、マイクロチップが点対称のトポロジーではないが、保持基板の上面に２つのチップ留め具、が設けられているので、非対称のマイクロチップを保持基板にセットする際、光学測定系、電極及びバッファ用リザーバ等の分注機構などに対応するための位置合わせを正確、簡単且つ短時間で実施できる。
【００４４】
したがって、本発明の第２の実施の形態の変形例に係る双方向電気泳動装置によれば、分離のための分離流路の内壁コーティングの劣化、タンパクなどの分離流路の内壁への吸着、及び物理的破損などのインジェクション側のトラブルにより性能が劣化しても、方向を反転させて逆方向（第２の方向）から分離流路を使用することで、再利用回数が向上し、分析コストの低減を図ることが可能となる。
【００４５】
（第３の実施の形態）
本発明の第３の実施の形態に係る双方向電気泳動装置は、保持基板２１、マイクロチップ（１５，１７）、上蓋１４、ガラス板１５、及び電極１１ａ、１１ｂを備えている点では第１及び第２の実施の形態に係る双方向電気泳動装置と同様であるが、図９に示すように、保持基板２１が平板の上面から下面へ垂直方向に貫通する２つの光学窓２２ａ、２２ｂを有する点が第１及び第２の実施の形態に係る双方向電気泳動装置とは異なる。光学窓２２ａ、２２ｂは、マイクロチップ（１５，１７）に設けられた分離流路１６の対称の中心に関して２回回転対称（点対称）であり、光学窓２２ａ、２２ｂはそれぞれ保持基板２１の直近の短辺からの距離が等しく、短辺方向中央に位置する。
【００４６】
本発明の第３の実施の形態に係る双方向電気泳動装置においては、光学窓２２ａ、２２ｂの選択により、分離流路１６の電気泳動の方向を１８０度変えるので、マイクロチップ（１５，１７）は保持基板２１に対して着脱可能に搭載される必要はなく、一度、マイクロチップ（１５，１７）の保持基板２１に対する位置を設定すれば、その位置を固定して良いので、保持基板２１の上面には図１〜図４及び図７に示すようなチップ留め具２３，２３ａ，２３ｂは特に必要ないが、あっても構わない。
【００４７】
本発明の第３の実施の形態に係る双方向電気泳動装置における光学窓２２ａ、２２ｂの選択は、マイクロチップ（１５，１７）を保持基板２１に固定した状態で：
（イ）保持基板２１をマイクロチップ（１５，１７）と共に、光学測定系５に対して回転する方法；
（ロ）保持基板２１を固定し、光学測定系５を移動する方法、
のいずれかが採用可能である。
【００４８】
光学窓２２ａ、２２ｂの選択により、電極１１ａ、１１ｂの極性も反転する必要があるが、電極１１ａ、１１ｂの極性の反転は、電気的に反転しても良く、電極１１ａ、１１ｂを光学窓２２ａ、２２ｂの選択に伴って、物理的に（空間的に）差し替えても良い。このように、本発明の第３の実施の形態に係る双方向電気泳動装置では、マイクロチップ（１５，１７）を保持基板２１に固定した状態で分離流路１６の方向を１８０度反転可能なので、マイクロチップ（１５，１７）の保持基板２１に対する位置決め機構は不要である。
【００４９】
第３の実施の形態に係る双方向電気泳動装置の構造の他の部分の説明は、第１及び第２の実施の形態に係る双方向電気泳動装置の構造の説明と同様であるので、重複する説明を省略する。泳動分離、解析の動作説明は第１の実施の形態に係る双方向電気泳動装置の動作説明と同一であるので、重複した説明を省略する。
【００５０】
本発明の第３の実施の形態に係る双方向電気泳動装置においては、第１及び第２の実施の形態に係る双方向電気泳動装置と同様に、ＭＥＭＳ技術によりマイクロチップ（１５，１７）の表面にミクロンオーダーのマイクロチャネルを形成して、分離流路１６を構成しているので機械的強度を十分に強くでき、キャピラリー電気泳動法のように、強度を得るためのキャピラリーの外壁へのコーティングは不要である。
【００５１】
本発明の第３の実施の形態に係る双方向電気泳動装置においては、２つの光学窓２２ａ、２２ｂをマイクロチップ（１５，１７）に設けられた分離流路１６の対称の中心に関して２回回転対称（点対称）になるように、保持基板２１を設けているので、２つの光学窓２２ａ、２２ｂを切り換えることにより、分離流路１６を正、逆の両方向で使用できる。即ち、第３の実施の形態に係る双方向電気泳動装置においては、一度保持基板２１にセットしたマイクロチップ（１５，１７）に対して、双方向電気泳動装置の光学測定系５、電極１１ａ、１１ｂ等の本体側機構を可動にし、マイクロチップ（１５，１７）を保持基板２１に再設置せず分離流路１６の両方向から電気泳動が、簡単且つ短時間で実施できる。
【００５２】
したがって、本発明の第３の実施の形態に係る双方向電気泳動装置によれば、第１及び第２の実施の形態に係る双方向電気泳動装置と同様に、分離のための分離流路１６の内壁コーティングの劣化、タンパクなどの分離流路１６の内壁への吸着、及び物理的破損などのインジェクション側のトラブルにより性能が劣化しても、２つの光学窓２２ａ、２２ｂを切り換えることにより、逆方向（第２の方向）から分離流路１６を使用することで、再利用回数が向上し、分析コストの低減を図ることが可能となる。本発明の第３の実施の形態に係る双方向電気泳動装置によれば、製造時に分離流路１６片側のみのトラブルが生じた場合、分離流路１６の逆側から使用できるため製造歩留まりを向上させることができることも、第１及び第２の実施の形態に係る双方向電気泳動装置と同様である。
【００５３】
（第３の実施の形態の変形例）
図９に示す構成は例示であり、例えば、図１０に示すように、マイクロチップ（１５，１７）の上方にマイクロチップ（１５，１７）の分離流路１６に光を照射する照射光学系５ａと、マイクロチップ（１５，１７）の下方にマイクロチップ（１５，１７）の分離流路１６からの蛍光若しくは透過光を測定する検出光学系５ｂを備えるようにしても良い。或いは、図１０とは逆に、マイクロチップ（１５，１７）の下方にマイクロチップ（１５，１７）の分離流路１６に光を照射する照射光学系５ａを設け、マイクロチップ（１５，１７）の上方にマイクロチップ（１５，１７）の分離流路１６からの蛍光若しくは透過光を測定する検出光学系５ｂを設けるようにしても良い。図１０に示すように、上蓋１４には、２つの入射用光学窓２８ａ，２８ｂが分離流路１６の中点をマイクロチップ（１５，１７）の対称の中心に一致させ、点対称のトポロジーとなるように、対称配置されている。更に、保持基板２１に設けられた光学窓２２ａ、２２ｂは、マイクロチップ（１５，１７）に設けられた分離流路１６の対称の中心に関して２回回転対称（点対称）である。
【００５４】
図１０に示す本発明の第３の実施の形態の変形例に係る双方向電気泳動装置においては、照射光学系５ａは、マイクロチップ（１５，１７）の上方に配置された光源５１と、光源５１の下方において、光源５１から出射した光がマイクロチップ（１５，１７）の分離流路１６に向かって進む光路中に設けられた、バンドパスフィルタ５２を有する。検出光学系５ｂは、光学窓２２の下方に配置されたダイクロイックミラー５３と、ダイクロイックミラー５３で反射した光が透過するバンドパスフィルタ５４と、バンドパスフィルタ５４を介して、マイクロチップ（１５，１７）の分離流路１６から出射した蛍光若しくは透過光を検出する検出器５５を有する。検出器５５がマイクロチップ（１５，１７）の分離流路１６から出射した透過光を検出する場合は、吸光測定をすることになる。照射光学系５ａの光源５１及び検出光学系５ｂの検出器５５はデータ処理部３３に接続され、データ処理部３３は蛍光測定若しくは吸光測定に必要なデータ処理をする。
【００５５】
本発明の第３の実施の形態の変形例に係る双方向電気泳動装置においては、２つの光学窓２２ａ、２２ｂ及び２つの入射用光学窓２８ａ，２８ｂをそれぞれマイクロチップ（１５，１７）に設けられた分離流路１６の対称の中心に関して２回回転対称（点対称）になるように、保持基板２１を設けているので、２つの光学窓２２ａ、２２ｂ及び対応する２つの入射用光学窓２８ａ，２８ｂを切り換えることにより、分離流路１６を正、逆の両方向で使用できる。即ち、第３の実施の形態の変形例に係る双方向電気泳動装置においては、一度保持基板２１にセットしたマイクロチップ（１５，１７）に対して、双方向電気泳動装置の光学測定系５、電極１１ａ、１１ｂ等の本体側機構を可動にし、マイクロチップ（１５，１７）を保持基板２１に再設置せず分離流路１６の両方向から電気泳動が、簡単且つ短時間で実施できる。
【００５６】
したがって、本発明の第３の実施の形態の変形例に係る双方向電気泳動装置によれば、分離のための分離流路１６の内壁コーティングの劣化、タンパクなどの分離流路１６の内壁への吸着、及び物理的破損などのインジェクション側のトラブルにより性能が劣化しても、２つの光学窓２２ａ、２２ｂ及び対応する２つの入射用光学窓２８ａ，２８ｂを切り換えることにより、逆方向（第２の方向）から分離流路１６を使用することで、再利用回数が向上し、分析コストの低減を図ることが可能となる。
【００５７】
（その他の実施の形態）
上記のように、本発明は第１〜第３の実施の形態によって記載したが、この開示の一部をなす論述及び図面は本発明を限定するものであると理解すべきではない。この開示から当業者には様々な代替実施の形態、実施例及び運用技術が明らかとなろう。
【００５８】
既に述べた第１及び第２の実施の形態の説明においては、鈎型（Ｌ型）のチップ留め具２３，２３ａ，２３ｂを用いた位置決め機構について説明したが、位置決め機構は、チップ留め具２３，２３ａ，２３ｂに限定されるものではなく、エッチング等により、マイクロチップ（１５，１７）の所定の場所に設けておき、保持基板２１側の対応する箇所に設けられたマーカーと合致するようにして、分離流路１６と光学窓との位置合わせをするようにしても良い。
【００５９】
第１〜第３の実施の形態の説明では、分離流路１６に電気泳動に必要な高電圧を印加する電極１１ａ、１１ｂがバッファ用リザーバ１２ａ、１２ｂ側からサンプルリザーバ１３ａ、１３ｂの底部まで到達するように挿入されている例を示したが、図１１に示すように、分離流路１６の下のマイクロチップ（１５，１７）の内部に電極１１ａ、１１ｂを埋め込むようにしても構わない。この場合は、図１１に示すように、保持基板２１の内部に設けられたビア（スルーホール）等を介して、電圧コントロール部３１から電極１１ａ、１１ｂに電気泳動に必要な高電圧が供給される。
【００６０】
図１１に示すように、マイクロチップ（１５，１７）の内部に電極１１ａ、１１ｂを埋め込んだ場合は、第３の実施の形態に係る双方向電気泳動装置における光学窓２２ａ、２２ｂの選択は、マイクロチップ（１５，１７）を保持基板２１において、保持基板２１をマイクロチップ（１５，１７）と共に、光学測定系５に対して回転した場合、或いは、保持基板２１を固定し、光学測定系５を移動した場合、電極１１ａ、１１ｂの極性を反転すれば良い。
【００６１】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【図面の簡単な説明】
【００６２】
【図１】マイクロチップの断面図を中心として、本発明の第１の実施の形態に係る双方向電気泳動装置の基本的な構成を示すブロック図である。
【図２】本発明の第１の実施の形態に係る双方向電気泳動装置に用いる保持基板を示す斜視図である。
【図３】本発明の第１の実施の形態に係る双方向電気泳動装置に用いるマイクロチップ、保持基板、ガラス板及び上蓋の組み立て状態を説明する斜視図である。
【図４】図３に示す方向とは１８０度逆向きにマイクロチップを保持基板に対して配置する状態を説明する斜視図である。
【図５】本発明の第１の実施の形態に係る双方向電気泳動装置を用いて得られた分離度と塩基対の数との関係を正方向（第１の方向）と逆方向（第２の方向）とで比較する図である。
【図６】マイクロチップの断面図を中心として、本発明の第１の実施の形態の変形例に係る双方向電気泳動装置の基本的な構成を示すブロック図である。
【図７】図７（ａ）は本発明の第２の実施の形態に係る双方向電気泳動装置に用いる保持基板を示す斜視図で、図７（ｂ）は図７（ａ）に示す保持基板にマイクロチップを設置した状態を説明する斜視図である。
【図８】図８（ａ）は、図７（ａ）と同じ保持基板を示し、図８（ｂ）は図８（ａ）に示す保持基板にマイクロチップを１８０度逆向きに反転して設置した状態を説明する斜視図である。
【図９】マイクロチップの断面図を中心として、本発明の第３の実施の形態に係る双方向電気泳動装置の基本的な構成を示すブロック図である。
【図１０】マイクロチップの断面図を中心として、本発明の第３の実施の形態の変形例に係る双方向電気泳動装置の基本的な構成を示すブロック図である。
【図１１】マイクロチップの断面図を中心として、本発明の他の実施の形態に係る双方向電気泳動装置の基本的な構成を示すブロック図である。
【符号の説明】
【００６３】
１１ａ、１１ｂ…電極
１２ａ，１２ｂ…バッファ用リザーバ
１３ａ，１３ｂ…サンプルリザーバ
１４…上蓋
１５…ガラス板
１６…分離流路
１７…マイクロチップ
２１…保持基板
２２，２２ａ，２２ｂ…光学窓
２３ａ，２３ｂ…チップ留め具
２８ａ，２８ｂ…入射用光学窓
３１…電圧コントロール部
３２…温度コントロール部
３３…データ処理部
５…光学測定系
５ａ…照射光学系
５ｂ…検出光学系
５１…光源
５２…バンドパスフィルタ
５３…ダイクロイックミラー
５４…バンドパスフィルタ
５５…検出器
６１…緩衝液
【図１】
0004935750.tif 000002
【図２】
0004935750.tif 000003
【図３】
0004935750.tif 000004
【図４】
0004935750.tif 000005
【図５】
0004935750.tif 000006
【図６】
0004935750.tif 000007
【図７】
0004935750.tif 000008
【図８】
0004935750.tif 000009
【図９】
0004935750.tif 000010
【図１０】
0004935750.tif 000011
【図１１】
0004935750.tif 000012